(57)【要約】【課題】複数のチャネル上で伝達されるデータパケットを含むバーストからなる信号を受信する方法とそれに対応する装置及び受信機を提供する。【解決手段】複数のチャネル（Ｆ１、Ｆ２）の上で伝達されるデータのバースト（ｂｕｒｓｔ）を含む信号を受信する方法において、基準チャネル（Ｆ１）を決定するステップ（６）と、前記基準チャネル（Ｆ１）からバーストを受信するステップ（８）とを含む方法であって、さらに、前記基準チャネル（Ｆ１）からの前記データの受信の際、及び「誤り（ｆａｕｌｔ）」の検出の際に、「誤り」を監視（ｍｏｎｉｔｏｒ）するステップ（１０）と、他のチャネル（Ｆ２）から前記データと同じデータを受信するステップ（１４）とを含む。【選択図】      図２
2007235967.tif 000002
【特許請求の範囲】
【請求項１】
複数のチャネル（Ｆ１、Ｆ２）の上で伝達されるデータのバースト（ｂｕｒｓｔ）を含む信号を受信する方法において、
基準チャネル（Ｆ１）を決定するステップ（６）と、前記基準チャネル（Ｆ１）からバーストを受信するステップ（８）とを含む方法であって、
さらに、前記基準チャネル（Ｆ１）からの前記データの受信の際、及び「誤り（ｆａｕｌｔ）」の検出の際に、「誤り」を監視（ｍｏｎｉｔｏｒ）するステップ（１０）と、
他のチャネル（Ｆ２）から前記データと同じデータを受信するステップ（１４）とを含むことを特徴とする複数のチャネル上で伝達される信号を受信する方法。
【請求項２】
基準チャネル（Ｆ１）から受信した全てのデータに対して、
受信の際にデータの品質を監視するステップ（１０、１２）と、
データの品質が十分である場合、このデータを受信データとして供給するステップと、
データの品質が十分でない場合、他のチャネル（Ｆ２）上から前記データと同じデータを受信するステップ（１４）と、
前記他のチャネル（Ｆ２）から受信したデータの品質を監視するステップ（１６）と、
受信データを供給するために、基準チャネル（Ｆ１）から受信したデータと他のチャネル（Ｆ２）から受信したデータを組み合わせるステップ（３０）とを含むことを特徴とする請求項１に記載の複数のチャネル上で伝達される信号を受信する方法。
【請求項３】
前記データの品質が悪い場合、基準チャネル（Ｆ１）からの受信の際の「誤り」を補償するために、
どの他のチャネルを用いるかを決定するのに、前記データと同じデータを受信するステップと、
複数のチャネル上で連続してそのデータの品質を監視するステップとを含むことを特徴とする請求項２に記載の複数のチャネル上で伝達される信号を受信する方法。
【請求項４】
データの受信及び監視のステップは、全ての利用可能なチャネル上で達成され、より優れた品質のデータが使用されることを特徴とする請求項３に記載の複数のチャネル上で伝達される信号を受信する方法。
【請求項５】
データの品質を監視するステップにおいて、所定の基準を満たす品質を有する第１データが使用されることを特徴とする請求項３に記載の複数のチャネル上で伝達される信号を受信する方法。
【請求項６】
データを組み合わせるステップ（３０）は、データがより優れた品質を提供することを保持するために、基準チャネル（Ｆ１）から受信したデータと、他のチャネル（Ｆ２）から受信したデータとの間の品質を比較するステップを含むことを特徴とする請求項２乃至５のいずれか一項に記載の複数のチャネル上で伝達される信号を受信する方法。
【請求項７】
データを組み合わせるステップ（３０）は、データの品質が所定の基準を満たさない全てのデータを廃棄することを特徴とする請求項２乃至５のいずれか一項に記載の複数のチャネル上で伝達される信号を受信する方法。
【請求項８】
全ての利用可能なチャネル内で優先順位を決定するために帯域幅を走査するステップをさらに含むことを特徴とする請求項１乃至７のいずれか一項に記載の複数のチャネル上で伝達される信号を受信する方法。
【請求項９】
相異なる前記チャネルはタイムラグがあり、前記基準チャネル（Ｆ１）は信号が受信される第１のチャネルとして設定されることを特徴とする請求項１乃至８のいずれか一項に記載の複数のチャネル上で伝達される信号を受信する方法。
【請求項１０】
前記基準チャネル（Ｆ１）からデータを受信する間、他のチャネルからのデータをバッファするステップをさらに含むことを特徴とする請求項１乃至８のいずれか一項に記載の複数のチャネル上で伝達される信号を受信する方法。
【請求項１１】
前記基準チャネル（Ｆ１）からの受信の際に監視されたデータの「誤り」の品質が所定の閾値を超える場合、別のチャネルを基準チャネルとして決定するステップをさらに含むことを特徴とする請求項１乃至１０のいずれか一項に記載の複数のチャネル上で伝達される信号を受信する方法。
【請求項１２】
前記データのバースト間で待機モードに受信機を切り換えるステップと、
バーストの受信の際に受信機をアクティブモードに切り換えるステップとをさらに含むことを特徴とする請求項１乃至１１のいずれか一項に記載の複数のチャネル上で伝達される信号を受信する方法。
【請求項１３】
プロセッサ読み出し可能な媒体に記憶された一連の指示を有するプロセッサプログラムを備え、プロセッサによって実行される時、
前記プロセッサが基準チャネル（Ｆ１）からデータのバーストを受信することと、
前記基準チャネル（Ｆ１）からデータを受信する際の「誤り」の監視することと、
「誤り」が検出された時、他のチャネル（Ｆ２）から前記データと同じデータを受信することとを制御することを特徴とする装置。
【請求項１４】
複数のチャネル（Ｆ１、Ｆ２）上から信号を受信する受信モジュール（５４）と、
基準チャネルからデータを受信するため基準チャネル（Ｆ１）を決定するモジュールとを備えるデータのバーストを含む信号用の受信機であって、
前記基準チャネル（Ｆ１）からデータの受信の際に「誤り」を監視するモジュールと、
「誤り」が検出された時、他のチャネル（Ｆ２）から前記データと同じデータを受信する受信モジュール（５４）とを備えることを特徴とする受信機。
【請求項１５】
請求項１乃至１２のいずれか一項に記載の複数のチャネル上で伝達される信号を受信する方法を達成するのに適合していることを特徴とする請求項１４に記載の受信機。
【発明の詳細な説明】
【技術分野】
【０００１】
本発明は、信号の受信に関し、特に複数のチャネル上で伝達されるデータパケットを含むバーストからなる信号の受信に関する。
【背景技術】
【０００２】
複数のチャネル上で同じ信号を受信することは通常のことであり、伝達した信号がデータの分離されたバーストを含んでいる場合、受信状態を改善するために、１つのチャネルから別のチャネルに切り換ることが可能である。
【０００３】
これは、例えば、１つのＤＶＢ−Ｈ（Ｄｉｇｉｔａｌ  Ｖｉｄｅｏ  Ｂｒｏａｄｃａｓｔｉｎｇ  ｆｏｒ  Ｈａｎｄｈｅｌｄ）信号が異なる周波数でのタイムスライシング（ｔｉｍｅ  ｓｌｉｃｉｎｇ）で、すなわち異なるチャネルから受信される、ＤＶＢ−Ｈ標準勧告による受信の場合である。１つの信号またはサービスが、カルーセル伝送（ｃａｒｒｏｕｓｅｌ  ｔｒａｎｓｍｉｓｓｉｏｎ）でバーストによって伝達される。同じ信号は、異なる周波数でタイムラグを有して伝達され、これらの周波数は信号に対する解体支持（ｄｉｓｊｏｉｎｔｅｄ  ｓｕｐｐｏｒｔ）を形成する。
【０００４】
受信機は、第１のチャネル上の信号品質を評価し、同じＤＶＢ−Ｈ信号が放送される他のチャネルを見つけるために次第に判断する。もし、信号品質が他のチャネルで優れている場合、受信機は第１のチャネルから他のチャネルに切り換えるように判断する。
【０００５】
１つのチャネルの品質の評価は、比較的長期間にわたる統計測定によって達成される。普通、基準チャネルからの信号のみが受信され、完全に処理される。他のチャネルからの信号は、例えば、サンプルの周期的な評価に対してその品質を評価するように監視されるだけである。いくつかの実施形態では、他のチャネルの品質は、基準チャネルの品質が十分でない場合にのみ、監視（ｍｏｎｉｔｏｒ）される。
【０００６】
１つのチャネルから他のチャネルに切り換る場合、受信の連続性は、各周波数での信号の伝達時間が十分分離され、各周波数のデータバーストがちょうど同じであることを課す標準勧告の結果から得られるシームレスな切り換えによって保証される。
【０００７】
しかし、バーストは基準チャネルから受信され、品質の評価が達成される期間の間そのチャネルの品質が変化する場合、受信品質に影響を及ぼすという問題がある。
同様に、全てのチャネルで悪化する場合、信号は正確には受信されない。
これは、特に異なるエコー信号が素早く変化するモバイル環境の場合に当てはまる。
したがって、厳しい環境においても優れた品質の信号を提供することができる受信方法及びそれに対応する装置の開発が望まれている。
【発明の開示】
【発明が解決しようとする課題】
【０００８】
そこで、本発明は上記従来の複数のチャネル上で伝達される信号を受信する方法における問題点に鑑みてなされたものであって、本発明の目的は、複数のチャネル上で伝達されるデータパケットを含むバーストからなる信号を受信する方法とそれに対応する装置及び受信機を提供することにある。
【課題を解決するための手段】
【０００９】
上記目的を達成するためになされた本発明による複数のチャネル上で伝達される信号を受信する方法は、複数のチャネル（Ｆ１、Ｆ２）の上で伝達されるデータのバースト（ｂｕｒｓｔ）を含む信号を受信する方法において、基準チャネル（Ｆ１）を決定するステップ（６）と、前記基準チャネル（Ｆ１）からバーストを受信するステップ（８）とを含む方法であって、さらに、前記基準チャネル（Ｆ１）からの前記データの受信の際、及び「誤り（ｆａｕｌｔ）」の検出の際に、「誤り」を監視（ｍｏｎｉｔｏｒ）するステップ（１０）と、他のチャネル（Ｆ２）から前記データと同じデータを受信するステップ（１４）とを含むことを特徴とする
【００１０】
基準チャネル（Ｆ１）から受信した全てのデータに対して、受信の際にデータの品質を監視するステップ（１０、１２）と、データの品質が十分である場合、このデータを受信データとして供給するステップと、データの品質が十分でない場合、他のチャネル（Ｆ２）上から前記データと同じデータを受信するステップ（１４）と、前記他のチャネル（Ｆ２）から受信したデータの品質を監視するステップ（１６）と、受信データを供給するために、基準チャネル（Ｆ１）から受信したデータと他のチャネル（Ｆ２）から受信したデータを組み合わせるステップ（３０）とを含むことが好ましい。
前記データの品質が悪い場合、基準チャネル（Ｆ１）からの受信の際の「誤り」を補償するために、どの他のチャネルを用いるかを決定するのに、前記データと同じデータを受信するステップと、複数のチャネル上で連続してそのデータの品質を監視するステップとを含むことが好ましい。
データの受信及び監視のステップは、全ての利用可能なチャネル上で達成され、より優れた品質のデータが使用されることが好ましい。
データの品質を監視するステップにおいて、所定の基準を満たす品質を有する第１データが使用されることが好ましい。
【００１１】
データを組み合わせるステップ（３０）は、データがより優れた品質を提供することを保持するために、基準チャネル（Ｆ１）から受信したデータと、他のチャネル（Ｆ２）から受信したデータとの間の品質を比較するステップを含むことが好ましい。
データを組み合わせるステップ（３０）は、データの品質が所定の基準を満たさない全てのデータを廃棄することが好ましい。
全ての利用可能なチャネル内で優先順位を決定するために帯域幅を走査するステップをさらに含むことが好ましい。
相異なる前記チャネルはタイムラグがあり、前記基準チャネル（Ｆ１）は信号が受信される第１のチャネルとして設定されることが好ましい。
前記基準チャネル（Ｆ１）からデータを受信する間、他のチャネルからのデータをバッファするステップをさらに含むことが好ましい。
前記基準チャネル（Ｆ１）からの受信の際に監視されたデータの「誤り」の品質が所定の閾値を超える場合、別のチャネルを基準チャネルとして決定するステップをさらに含むことが好ましい。
前記データのバースト間で待機モードに受信機を切り換えるステップと、バーストの受信の際に受信機をアクティブモードに切り換えるステップとをさらに含むことが好ましい。
【００１２】
上記目的を達成するためになされた本発明による複数のチャネル上で伝達される信号を受信する方法に対応する装置は、プロセッサ読み出し可能な媒体に記憶された一連の指示を有するプロセッサプログラムを備え、プロセッサによって実行される時、
前記プロセッサが基準チャネル（Ｆ１）からデータのバーストを受信することと、
前記基準チャネル（Ｆ１）からデータを受信する際の「誤り」の監視することと、
「誤り」が検出された時、他のチャネル（Ｆ２）から前記データと同じデータを受信することとを制御することを特徴とする。
【００１３】
上記目的を達成するためになされた本発明による複数のチャネル上で伝達される信号を受信する方法に対応する受信機は、複数のチャネル（Ｆ１、Ｆ２）上から信号を受信する受信モジュール（５４）と、基準チャネルからデータを受信するため基準チャネル（Ｆ１）を決定するモジュールとを備えるデータのバーストを含む信号用の受信機であって、前記基準チャネル（Ｆ１）からデータの受信の際に「誤り」を監視するモジュールと、「誤り」が検出された時、他のチャネル（Ｆ２）から前記データと同じデータを受信する受信モジュール（５４）とを備えることを特徴とする。
【発明の効果】
【００１４】
本発明に係る、複数のチャネル上で伝達される信号を受信する方法とそれに対応する装置及び受信機によれば、同じ受信機で別のチャネルから受信した同じデータパケットを使用することによって、基準チャネルからデータパケットを受信する際の欠点を修正することが可能であるという効果がある。
【発明を実施するための最良の形態】
【００１５】
次に、本発明に係る複数のチャネル上で伝達される信号を受信する方法とそれに対応する装置及び受信機を実施するための最良の形態の具体例を図面を参照しながら説明する。
【００１６】
図１は、本発明の実施形態による複数のチャネル上で伝達される信号を受信する方法のフローチャートである。
図２は、受信および供給された信号の時間図である。
図３は、本発明の実施形態による無線周波数受信機の概略ブロック図である。
【００１７】
図１を参照すると、本発明に係る複数のチャネル上で伝達される信号を受信する方法は、図２の時間図も考慮して示す。
実施形態では、伝達された信号は、標準勧告（ＥＴＳＩ  ＥＮ  ３０２  ３０４  Ｖ  １．１．１．）に対応するＤＶＢ−Ｈ信号である。したがって、異なるチャネルをそれぞれ提供するいくつかの周波数上で伝達され、各周波数上のデータパケットを含むバーストはちょうど同じであり、各周波数の伝達時間は分離されている。
【００１８】
本発明に係る複数のチャネル上で伝達される信号を受信する方法は、第１のチャネル上のデータパケットのバーストからなる信号の受信ステップ（２）で始まり、受信機の電力を上げるステップ（４）が後続する。
受信機は、電力を節約するようにデータパケットを含むバーストの間の待機モード又はアイドリングモードにされ、ステップ（４）で、データパケットを処理することができるようにその構成要素の電力が上げるアクティブモードに切り換えられる。
【００１９】
次に、従来の方法で達成される基準チャネルの決定のステップ（６）へと続く。
本実施形態では、基準チャネルは、信号が最初に受信されるチャネルとして、ステップ（６）で決定される。したがって、全ての他のチャネルは、本実施形態では（Ｆ１）と称する基準チャネルと比較して遅延される。
【００２０】
図２を参照すると、第１の線（上のライン）は、基準チャネルＦ１上で受信される１つのバーストのデータパケットに対応する。
ステップ（６）の後に、基準チャネル（Ｆ１）からデータパケットを受信するステップ（８）が続く。
この段階では、ステップ（８）は基準チャネル（Ｆ１）の周波数で、データパケットナンバー１の受信に対応する。ここで本方法では、例えば、このデータパケットのノイズ比の算出、またはＣＲＣなどの誤差検出コードの使用によってなされる受信の際、データパケットの品質を監視（ｍｏｎｉｔｏｒ）するステップ（１０）を含んでいる。
【００２１】
その後、受信および監視したデータパケットの品質が十分であるかどうか判定するテストステップ（１２）がなされる。この品質評価はバイナリであり、信号対ノイズ比を閾値と比較することによって得られる。例えば、基準として、所定の基準を満たす品質を有する第１データが使用される。
もちろん、他のタイプの基準を使用して、品質レベルを判定することもできる。
【００２２】
本実施形態では、図２に示すように、信号対ノイズ比が所定の閾値より低いデータパケットは、横線の入った形で示され、誤ったデータパケットとして考えられる。したがって、テストステップ（１２）はデータパケットナンバー１に対して「誤り」（図中で「−」）と判断し、本方法では、他のチャネル上の同じデータパケットの受信のステップ（１４）に続く。本実施形態では、これはデータパケットナンバー１を受信するため、チャネル（Ｆ２）の周波数に受信機を同調（ｔｕｎｉｎｇ）させることに対応する。
【００２３】
チャネル（Ｆ２）上の信号は、チャネル（Ｆ１）上の信号と比較して、タイムラグがあるので、ステップ（８）からステップ（１２）までの処理はタイムラグ内で発生し、したがって、同じ受信機は他のチャネル（Ｆ２）からデータパケットを受信する時間までに同調される。
【００２４】
受信のステップ（１４）の後には、他のチャネル（Ｆ２）から受信されたデータパケットの品質を監視するステップ（１６）が続く。本実施形態では、これはチャネル（Ｆ２）の周波数で受信されるデータパケットナンバー１の信号対ノイズ比の決定に対応する。
本方法はその後、チャネル（Ｆ２）上で受信されたこのデータパケットの品質が十分であるかどうかを判定するテストステップ（２０）を含んでいる。
【００２５】
テストステップ（２０）で「誤り」と判定された場合、すなわち、他のチャネル上の受信データパケットの品質が十分ではない場合、本方法では受信のステップ（１４）で受信されるデータパケットのチャネルが最後の利用可能なチャネルであるかどうかを判定するテストステップ（２２）に進む。
【００２６】
テストステップ（２２）で「誤り」と判定された場合、他のチャネルはまだ利用可能であるということになり、したがって、本方法では他のチャネル上の同じデータパケットを受信し、その後その品質を監視するステップ（１４）に再び戻る。
【００２７】
テストステップ（２０）で「正：ｔｒｕｅ」（図中で「＋」）と判定された場合、すなわちチャネル（Ｆ２）から受信されるデータパケットの品質が十分である場合、またはテストステップ（２０）で「誤り」、テストステップ（２２）で「正」、すなわち、どの他の利用可能なチャネルから受信されるデータパケットの品質が十分ではない場合でも、他の利用可能なチャネルがないということになる場合、本方法は、受信データパケットを供給するために、基準チャネルから受信したデータパケットと他のチャネルから受信したデータパケットを組み合わせるステップ（３０）に続く。この段階で、データパケットを組み合わせるステップ（３０）は、チャネル（Ｆ１）およびチャネル（Ｆ２）からデータパケットナンバー１を受信した後になされる。
【００２８】
例えば、データパケットを組み合わせるステップ（３０）はまた、その品質が閾値より悪いあらゆるデータパケットを廃棄し、それにより複数のチャネル上で受信した異なるタイプの同じデータパケット全てを廃棄することにつながる可能性があるテストである。
他の実施形態では、データパケットを組み合わせるステップ（３０）は、常にデータパケットを供給するために、より優れた品質レベルを示すデータパケットの選択に対応する。
【００２９】
場合によって、データパケットを組み合わせるステップ（３０）はまた計算であってもよく、データパケットを分割することができる場合、新しいデータパケットが、基準チャネルおよび／またはどの他の利用可能なチャネルから受信されたデータパケットのセグメントを使用することによって構成される。
【００３０】
データパケットを組み合わせるステップ（３０）の後、テストステップ（１２）が「正」、すなわち、基準チャネル上で受信されたデータパケットの品質が十分である場合へと、本方法は続く。
したがって、本方法では、データパケットの同じバースト内で、基準チャネルが受信欠陥を示す場合に各データパケットに対して別のチャネルを選択することが可能である。
【００３１】
本方法は、供給されるデータパケットがバーストの最後のデータパケットであるかどうかを判定するテストステップ（３２）に続く。テストステップ（３２）で「誤」と判定される場合、本方法は同じ受信機内で基準チャネルから次のデータパケットを受信するステップ（８）に戻る。
【００３２】
テストステップ（３２）で「正」と判定された場合、すなわちバースト内にデータパケットがない場合、本方法は受信機の電力を下げ、したがってアクティブモードから待機またはアイドリングモードに切り換えるステップ（４０）に続く。
【００３３】
したがって、供給された信号は、図２の第３の線（下のライン）上で示す信号に対応し、基準チャネル（Ｆ１）から受信したデータパケットが「誤り」であると考えられる度に、供給される信号は第２のチャネル（Ｆ２）から受信されたのと同じデータパケットを含んでいることが分かる。
【００３４】
本発明の方法では、基準チャネルからの受信の際に「誤り」が起こった場合に、他のチャネル上で受信されたデータパケットを使用することによってより優れた受信を行なうことが可能である。
【００３５】
次に図３を参照すると、本発明の実施形態による受信機を示す。
受信機５０は、全ての異なるチャネルの上、すなわち全ての異なる周波数の信号を受信するように構成されているアンテナ５２を備えている。受信機５０は、特定の周波数を受信するように設定することができるチューナー５４に接続されている。
【００３６】
チューナー５４の出力は、受信信号を供給するバッファ５６に接続され、また、チューナ５４によって供給される受信信号の信号対ノイズ比を算出するように構成されている分析モジュール６０に接続されている。
受信機５０はまた、分析モジュール６０によって供給される品質評価を受信し、チューナー５４が信号を復調しなければならない周波数に設定するためチューナー５４に命令する命令モジュール６２を備えている。命令モジュール６２はまた、受信信号の供給を始動させる（ｔｒｉｇｇｅｒ）ようにバッファ５６に命令する。
【００３７】
受信機５０は、待機モードとアクティブモードの間で切り換えられるようになっている。
アイドリングまたは待機モードにある場合、電力節減モード（ｐｏｗｅｒ  ｅｃｏｎｏｍｉｓｅｒ  ｍｏｄｅ）内で全体の帯域幅を走査するために、最小限の構成要素に電力が与えられる。データパケットのバーストが１つのチャネル上で検出された場合、受信機５０は電力が上げられ、データパケットを処理するようにアクティブモードに切り換えられる。
【００３８】
他の実施形態として、待機モードにある場合、受信機全体がバースト間でターンオフし、受信信号のエネルギーが電力を上げるのに使用される。
【００３９】
本実施形態では、信号が最初に受信されるチャネルを、基準チャネル（Ｆ１）として設定される。
基準チャネルから受信されたバースト内の各データパケットでは、分析モジュール６０によって供給された品質評価により、命令モジュール６２は、バッファ５６内で基準チャネルから受信されるデータパケットを保持しながら、別のチャネルから再び同じデータパケットを受信するように、別のチャネルに切り換えるようにチューナー５４に指示する。
【００４０】
別のチャネルから受信したデータパケットはその後、分析モジュール６０内で分析され、命令モジュール６２はその後、基準チャネル又は他のチャネルから受信したデータパケットのうちのどちらをバッファ５６によって供給するべきであるかを選択する。
その後、命令モジュール６２はチューナー５４に、次のデータパケットを受信するように基準チャネルに切り換えるように命令する。
【００４１】
本実施形態では、受信機はデジタルテレビセット、または無線電話、携帯情報端末、ラップトップ型コンピュータなどの無線携帯装置の一部である。
【００４２】
もちろん、本発明の他の実施形態も可能である。
例えば、データのバーストを処理する前に、全てのチャネル内で、優先順位を決定するために帯域幅を走査することが可能であり、この実施形態での受信方法の間は、この優先順位に従ってチャネルを切り換える。
【００４３】
また、信号が最初に受信されるチャネルのものとは別のチャネルを基準チャネルとして選択することも可能である。この場合、他のチャネルは、基準チャネルから受信したデータパケットの品質評価が達成されるまで、他のチャネルのものはバッファされる。
【００４４】
さらに他の実施形態では、基準チャネルからの受信の際に監視される「誤り」の品質が所定の閾値を越える度に、別のチャネルが基準チャネルとして決定される。この場合の閾値が設定される場合には、基準チャネルからの受信の際に「誤り」が検出される度に、新しい基準チャネルが次のデータパケットを受信するために設定される。
【００４５】
さらに、本発明は複数の信号またはサービスを同時に受信するのに使用することができる。例えば、カルーセル伝送では、そのチャネルが分離される限り、すなわち、全てのサービスのデータのバーストが互いに重なり合わない限り、異なるサービスまたは信号を受信することができ、異なるチャネル上の２つのバースト間のタイムラグは受信機を切り換えるのに十分である。
【００４６】
本実施形態では、受信機はバースト間のアイドリングまたは待機モードで切り換えたが、他の実施形態では、待機モードとアクティブモードの間のこのような切り換えは達成されない、または少なくとも体系的（ｓｙｓｔｅｍａｔｉｃａｌｌｙ）ではない。
【００４７】
また、例えば、独自の受信モジュールが使用され、基準チャネルからデータを受信するように構成され、「誤り」が起こった場合に、別のチャネルからデータを受信するように切り換える。他の実施形態では、複数のチューナーが使用され、各セットが１つのチャネルであり、受信機は１つのチャネルまたは他のチャネルからデータを受信し、処理するように、いずれかのチューナを交互に接続することができる１つの処理モジュールを備えている。
【００４８】
また、多くの他の追加的実施形態も可能である。例えば、本発明の方法は、プロセッサがデータパケットを含むバースト間で受信機を待機モードに切り換えるように、プロセッサ読み出し可能媒体に記憶された一連の指示を有するプロセッサプログラムによって実行される。また、バーストの受信の際、基準チャネル（Ｆ１）からバーストのデータパケットを受信し、基準チャネル（Ｆ１）からデータパケットの受信の際の「誤り」を監視し、別のチャネル（Ｆ２）から前データパケットと同じデータパケットを受信する。
このプロセッサプログラムは、例えば、コンピュータ、ラップトップ型コンピュータ、携帯電話、テレビデコーダ、テレビセットなどのあらゆる種類の物体に一体化させることができる。
もちろん、上述した受信機およびプログラムは、上記方法を達成するように構成される。
【００４９】
尚、本発明は、上述の実施形態に限られるものではない。本発明の技術的範囲から逸脱しない範囲内で多様に変更実施することが可能である。
【図面の簡単な説明】
【００５０】
【図１】本発明の実施形態による複数のチャネル上で伝達される信号を受信する方法のフローチャートである。
【図２】受信および供給された信号の時間図である。
【図３】本発明の実施形態による無線周波数受信機の概略ブロック図である。
【符号の説明】
【００５１】
２        受信ステップ
４        受信機の電力を上げるステップ
６        基準チャネルの決定のステップ
８        基準チャネル（Ｆ１）からデータパケットを受信するステップ
１０      基準チャネル（Ｆ１）からのデータパケットの品質を監視するステップ
１２      基準チャネル（Ｆ１）からのデータパケット品質判定テストステップ
１４      他のチャネル上の同じデータパケットの受信のステップ
１６      他のチャネルからのデータパケットの品質を監視するステップ
２０      他のチャネルからのデータパケット品質判定テストステップ
２２      受信されるデータパケットのチャネルが最後の利用可能なチャネルであるかどうかを判定するテストステップ
３０      基準チャネルから受信したデータパケットと他のチャネルから受信したデータパケットを組み合わせるステップ
３２      供給されるデータパケットがバーストの最後のデータパケットであるかどうかを判定するテストステップ
４０      アクティブモードから待機またはアイドリングモードに切り換えるステップ
５０      受信機
５２      アンテナ
５４      チューナー
５６      バッファ
６０      分析モジュール
６２      命令モジュール
【図１】
2007235967.tif 000003
【図２】
2007235967.tif 000004
【図３】
2007235967.tif 000005